(57)【要約】      （修正有）【課題】フレーム上に一定の隙間を存して並べた床材をフレーム上に並べたままで連結し、床材の組付け作業を容易に行うことができるプール床を提供する。【解決手段】全体がＴ形で、ネジを刻設した軸部４２と、軸部端に軸部４２と直交して形成され、幅が軸部４２の径と同一で、長さが前記フランジの側方への突出長さよりも短く、両端に下向きの突部を備えた頭部４４とよりなるボルトを用い、フレーム上に一定の隙間を存して並べた隙間に頭部４４の向きを合わせてボルトを頭部４４より挿入し、挿入後９０°回転させて頭部両側部を隙間両側の床材３１のフランジに当て、隙間より突出する軸部４２にフレーム上側部に下方より当てがった押え金具４８を通し、ついでナット４９を通して締結する。【選択図】図１２
0003150298.tif 000002
【実用新案登録請求の範囲】
【請求項１】
並設されるフレーム上に空気室を備えた床材をフレームと直交して並設し、各床材とフレームを止着手段を介して連結してなる、プールに昇降可能に設置されるプール床において、床材は両側面の上下端のうち、少なくとも下端にそれぞれ側方に突設されるフランジを有し、また止着手段がネジを備え、フレーム上に並設した床材のフランジ間の隙間ｃに通される軸部と、該軸部端に軸部と直交して設けられ、前記隙間以下の幅と、前記隙間ｃを越える長さの頭部とからなるＴ形のボルトと、該ボルトの軸部に捩じ込まれるナットを有し、該ボルトの頭部両側で隣接する床材の互いに向き合うフランジを押え、前記隙間ｃから突出するボルトの軸部にナットを捩じ込んで固定してなるプール床。
【請求項２】
前記フランジが上向きの突部を備えた倒Ｌ形断面の鉤形をなし、頭部が両側に下向きの突部を備えた凹形をなす請求項１記載のプール床。
【考案の詳細な説明】
【技術分野】
【０００１】
本考案は、プールに昇降可能に設置されるプール床に関する。
【背景技術】
【０００２】
図１は、プール床１の一例を示すもので、図２は図１のａ部の拡大図、図３は図２のＡ−Ａ線断面図、図４は同Ｂ−Ｂ線断面、図５は同Ｃ−Ｃ線断面である。
図１に示すプール床１は、図２〜図５に示すように、断面が溝形状をなすフレーム２を並設し、その上に床材３をフレーム２と直交して一定の隙間ｃを存して並べ、フレーム２に取付けてなるもので、床材３は、図４及び図５に示すように、左右対称形をなし、内部を縦リブ４で仕切って複数の空気室５を形成し、これによりプール床１に浮力を持たせるようにしており、両側の室６は下面中央に溝７を床材３の長手方向に形成している。
【０００３】
プール床１の組立は、並設されるフレーム２上に床材３をフレーム２と直交して並べ、フレーム間の床材下面からボルト通し孔を一定ピッチで形成した細板状のつなぎ金具８を当て、溝７に通して室６に挿入したボルト９の溝７からの突出部分につなぎ金具８のボルト通し孔を通し、その突出部分にナット１１を捩込んで締着することにより床材３を一定の隙間ｃを存してつなぎ金具８により連結し（図５）、ついで図３及び図４に示すように室６に通した留め金具１２と押え金具１３で溝両側の室６底壁とフレーム上側部を挟み込んでボルト１４及びナット１５により連結していた。
【０００４】
上述する従来のプール床では、
（１）床材３をつなぎ金具８に連結するために床材３の端から室６内に必要数のボルト９を溝７に通して挿入し、溝７からのボルト突出端につなぎ金具８のボルト通し孔を通してナット１１を捩込み、止着する必要があること、
（２）左右の室６の水は、プール床１を昇降させても水が入れ換わり難く、水が澱んで汚れ易いが、室６内を洗浄するには、プール内の水を抜いてプール床１の下方から室６内に水を噴射して行う必要があり洗浄が容易でないこと、
等の問題があった。
【０００５】
上記の問題を解消するため下記特許文献１には、図６に示すように床材２１間のフランジ２２上に留め金具２３を置き、該留め金具２３とフレーム上側部に下方より当てがった押え金具２４との間にボルト２５を通し、両側の床材２１をフランジ２２がボルト軸部に突き当たるまで押込んだのち、ボルト突出端にナット２６を捩じ込み固定してなるプール床が開示されている。
【先行技術文献】
【特許文献】
【０００６】
【特許文献１】特開２００４−２８５７７９号公報
【考案の概要】
【考案が解決しようとする課題】
【０００７】
特許文献１に開示されるプール床によると、床材の組付作業に要する部品や作業が減少すること、ボルトを通す室がない分、空気室を大きく取ることができ、これにより浮力が増すため、所要の浮力を得るための床材をコンパクトにすることができ、またボルトを通す室があると、該室に入り込んだ水が澱んで汚れたり、清掃するのが容易でない、といった問題があるのに対し、水が入り込む室がないため、こうした問題が生ずることがないこと等の効果を有する。
【０００８】
本考案は、上記プール床に改良を加え、床材の組付作業がより容易に行えるようにしたものである。
【課題を解決するための手段】
【０００９】
請求項１に係わる考案は、並設されるフレーム上に空気室を備えた床材をフレームと直交して並設し、各床材とフレームを止着手段を介して連結してなる、プールに昇降可能に設置されるプール床において、床材は両側面の上下端のうち、少なくとも下端にそれぞれ側方に突設されるフランジを有し、また止着手段がネジを備え、フレーム上に並設した床材のフランジ間の隙間ｃに通される軸部と、該軸部端に軸部と直交して設けられ、前記隙間以下の幅と、前記隙間を越える長さの頭部とからなるＴ形のボルトと、該ボルトの軸部に捩じ込まれるナットを有し、該ボルトの頭部両側で隣接する床材の互いに向き合うフランジを押え、前記隙間から突出するボルトの軸部にナットを捩じ込んで固定してなるものである。
【００１０】
請求項２に係わる考案は、請求項１に係わる考案において、フランジが上向きの突部を備えた倒Ｌ形断面の鉤形をなし、頭部が両側に下向きの突部を備えた凹形をなすものである。
【考案の効果】
【００１１】
請求項１に係わる考案によると、特許文献１に開示されるプール床の前述する効果に加え、更に次のような効果を奏する。
【００１２】
床材の組付けは、フレーム上に並べられる床材のフランジ間の隙間にボルト頭部の向きを合わせてボルトを頭部から上記隙間に挿入したのち、適当角度、好ましくは９０°回転させてボルト頭部を両フランジに横架したのち、ナットをボルト軸部に捩じ込んで頭部でフランジを押え固定することによって行うが、特許文献１に開示されるプール床のように、床材をフランジがボルト軸部に突き当たるまで押込む必要はなく、床材をフレーム上に並べた状態のまま動かすことなく、床材をフレームに固定することができ、床材の組付作業を容易に行うことができる。
【００１３】
請求項２に係わる考案によると、ボルト頭部の突部がフランジの突部に引掛かり係止することにより床材同士の離間が防止され、床材の連結が確実に行われる。
【図面の簡単な説明】
【００１４】
【図１】プール床の平面図。
【図２】図１のａ部の拡大図。
【図３】図２のＡ−Ａ線断面図。
【図４】同Ｂ−Ｂ線断面図。
【図５】同Ｃ−Ｃ線断面図。
【図６】従来のプール床の別の例の断面図。
【図７】本発明のプール床に用いられる床材の断面図。
【図８】本発明のプール床に用いられるボルトの斜視図。
【図９】フレーム上に並べた床材の断面図。
【図１０】床材間の隙間ｃにボルトを頭部より通した断面図。
【図１１】床材間の隙間ｃに通したボルトを９０°回転させた状態を示す断面図。
【図１２】フレームに固定した状態を示す断面図。
【図１３】フレームに固定された床材の要部の側面図。
【考案を実施するための形態】
【００１５】
以下、本考案の実施形態のプール床について図面により説明する。
図７に示す床材３１は、床材中央部を一対の縦リブ３２により仕切って縦リブ間と縦リブ両側に床材３１の長手に伸びる空気室３３、３４を形成し、床材３１の両側面下端に上向きの突部３６を備えた倒Ｌ形断面の鉤形をなすフランジ３７を側方に突出形成する一方、両側面上部にフランジ３７と同量、側方に突出する突出部３８を突出形成したものである。
この突出部３８はフランジに代えてもよい。
【００１６】
図８に示すボルト４１は、全体がＴ形で、ネジを刻設した軸部４２と、軸部端に軸部４２と直交して形成され、幅が軸部４２の径と同一で、長さが前記フランジ３７の側方への突出長さよりも短く、両端に下向きの突部４３を備えた頭部４４とよりなっている。突部４３は、好ましくは前記突部３６と同じ高さに形成されるが、同じでなくてもよい。
【００１７】
フレーム４６上に床材３１を組み付けるときには、図９に示すように図２〜図４に示すフレーム２と同様のフレーム４６上に床材３１をフレーム４６と直交して、床材間に一定の隙間ｃを存して並べ、ついでボルト４１の頭部４４の向きを前記隙間ｃの向きに合わせてボルト４１を頭部４４より上記隙間ｃに挿入する（図１０）。挿入後、軸部４２を掴んで９０°回し、頭部４４の向きを隙間ｃの向きと直交させ（図１１）、ついで軸部４２の掴みを弛めて頭部４４を下げ、フランジ３７の突部３６を頭部４４に下方より当てるか或いは頭部の突部４３をフランジ３７に上方より当てる。突部３６と突部４３が同じ高さのときには、突部３６と突部４３が共に頭部４４とフランジ３７に当たる。次に前記隙間ｃより突出するボルト４１の軸部４２にフレーム上側部４６ａに下側より当てがった、図２及び図３に示す押え金具１３と同様の押え金具４８を通し、ついでナット４９を上記軸部４２に捩じ込んで締結する。図１２及び図１３は、以上のようにしてフレーム上に床材３１が連結された状態を示す。
【００１８】
本実施形態のプール床によると、床材３１はフレーム上に並べた状態のままで、ボルト４１と押え金具４８とナット４９とによりフレーム４６に止着して連結されること、図４及び図５に示す床材３のように、ボルト９、１４を通す室６がないため、その分、空気室５が拡がって浮力を増すことができ、したがって所要の浮力を得るための床材をコンパクトにすることができること、図４及び図５に示す床材３のように空気室内に水が入り込んで汚れ、清掃を困難にする室がないこと、床材間を清掃する場合も、床材間の隙間から上方より水を吹き付けることによって容易に行うことができること、中央部に一対の縦リブ３２が設けられ、床材３１の強度を増すことができること等の効果を奏する。
【符号の説明】
【００１９】
３１・・床材
３２・・縦リブ
３３、３４・・空気室
３６、４３・・突部
３７・・フランジ
３８・・突出部
４１・・ボルト
４２・・軸部
４４・・頭部
４６・・フレーム
４８・・押え金具
４９・・ナット
【図１】
0003150298.tif 000003
【図２】
0003150298.tif 000004
【図３】
0003150298.tif 000005
【図４】
0003150298.tif 000006
【図５】
0003150298.tif 000007
【図６】
0003150298.tif 000008
【図７】
0003150298.tif 000009
【図８】
0003150298.tif 000010
【図９】
0003150298.tif 000011
【図１０】
0003150298.tif 000012
【図１１】
0003150298.tif 000013
【図１２】
0003150298.tif 000014
【図１３】
0003150298.tif 000015